(57)【要約】      （修正有）【課題】強度が充分で歩きやすく、足の裏にも柔らかい感触が感じられて、やさしい履き心地を楽しめる布草履を提供する。【解決手段】草履の外形を形作る楕円状の外側芯縄部分Ｗｏと、外側芯縄部分Ｗｏで囲まれた内側部分に、草履の長手方向に延び幅方向に間隔をあけて配置された４本の内側芯縄部分Ｗｉとからなり、布紐ｓを浮沈状に編み付けている。２本の芯縄を用い、１本の芯縄Ｗ１が、１本の外側芯縄部分の全周と２本の内側芯縄部分を構成し、他の１本の芯縄Ｗ２が、他の１本の外側芯縄部分の全周と他の２本の内側芯縄部分を構成している。楕円状の外側芯縄部分に２本の芯縄Ｗ１，Ｗ２を用い、内部に４本の芯縄Ｗ１，Ｗ２，Ｗ２，Ｗ１が入っているので、草履の強度が高くなり、４本の内側芯縄同士の間の隙間が小さくなるので、足の裏に柔らかい感触を与え、履き心地を良くすることができる。【選択図】図３
0003140086.tif 000002
【実用新案登録請求の範囲】
【請求項１】
草履の外形を形作る楕円状の外側芯縄部分と、
前記外側芯縄部分で囲まれた内側部分に、草履の長手方向に延び幅方向に間隔をあけて配置された４本の内側芯縄部分と、
前記外側芯縄部分および前記内側芯縄部分に対し交差するように、布紐を浮沈状に編み付けている
ことを特徴とする布草履。
【請求項２】
２本の芯縄を用い、
１本の芯縄が、１本の外側芯縄部分の全周と２本の内側芯縄部分を構成し、
他の１本の芯縄が、他の１本の外側芯縄部分の全周と他の２本の内側芯縄部分を構成している
ことを特徴とする請求項１記載の布草履。
【請求項３】
請求項１の布草履を製作するための製作具であって、
保持板と引掛具とからなり、
前記保持板は立板と横板からなる側面視でＬ字形の部材であり、
前記立板には３本の引掛具が間隔を離して立てて取付けられており、
前記引掛具は草履の外形を形作る楕円状の外側芯縄部分および草履の長手方向に延び幅方向に間隔をあけて配置された４本の内側芯縄部分を引掛ける部材である
ことを特徴とする布草履の製作具。
【考案の詳細な説明】
【技術分野】
【０００１】
本考案は、布草履およびその製作具に関する。
【背景技術】
【０００２】
従来の布草履は、非特許文献１に示すように、２本の長い芯縄を用い、楕円形の芯縄部分と内側の２本の芯縄部分を形作り、それらの芯縄部分に布紐を編み付けて構成したものである。
【０００３】
上記の従来の布草履は、昔のわらを用いたわらじと同じ要領で作られる。すなわち、図５に示すように、人Ｈが座って両足Ｌを前に投げ出し、２本の芯縄ｗを両足の指の間にかけ廻して編み上げる。この場合、図６に示すように両足Ｌの指の間にかけ廻した芯縄ｗが、手元で保持されて４本がほぼ等間隔に揃えられ、１本１本の芯縄ｗに布紐ｓを交互に浮沈させて編み付けるという伝統的な編み方をしている。
【０００４】
したがって、従来の布草履は、図７に示すように、外側の芯縄ｗ１が１本であり、内側に間隔をあけて配置した２本の芯縄ｗ２しかない。このため、布紐ｓで編み上げたあとでも強度が弱いという問題がある。
強度が弱いと、鼻緒に足を引っ掛けても、かかとの部分が垂れ下がる傾向があるので、歩きにくい、とくに足の筋力の弱い人はほとんど歩くことが不可能となる。また、草履の中央部分は、２本の芯縄部分が盛り上り、他の部分がへこむので凹凸が強く現われ、履き心地が良くない。
【０００５】
以上のような問題があるが、永年の常識は打破し難いもので、布草履についても未だにわら草履と同様の編み方しかしていない。
わら草履ならば、重量が軽く、同じ構造でも必要な強度が出るが、布草履だと布紐ｓの重量に負けてかかとが垂れ下がるが、それも仕方ないとして今日に至っている。
【０００６】
【非特許文献１】刊行物「手で編む可愛い布ぞうり」４２〜４７頁、2006年12月30日初版発行、（株）河出書房新社
【考案の開示】
【考案が解決しようとする課題】
【０００７】
本考案は上記事情に鑑み、強度が充分で歩きやすく、足の裏にも柔らかい感触が感じられて、やさしい履き心地を楽しめる布草履を提供することを目的とする。また、その布草履を製作するのに便利な製作具を提供することを目的とする。
【課題を解決するための手段】
【０００８】
第１考案の布草履は、草履の外形を形作る楕円状の外側芯縄部分と、前記外側芯縄部分で囲まれた内側部分に、草履の長手方向に延び幅方向に間隔をあけて配置された４本の内側芯縄部分と、前記外側芯縄部分および前記内側芯縄部分に対し交差するように、布紐を浮沈状に編み付けていることを特徴とする。
第２考案の布草履は、第１考案において、２本の芯縄を用い、１本の芯縄が、１本の外側芯縄部分の全周と２本の内側芯縄部分を構成し、他の１本の芯縄が、他の１本の外側芯縄部分の全周と他の２本の内側芯縄部分を構成していることを特徴とする。
第３考案の布草履の製作具は、請求項１の布草履を製作するための製作具であって、保持板と引掛具とからなり、前記保持板は立板と横板からなる側面視でＬ字形の部材であり、前記立板には３本の引掛具が間隔を離して立てて取付けられており、前記引掛具は草履の外形を形作る楕円状の外側芯縄部分および草履の長手方向に延び幅方向に間隔をあけて配置された４本の内側芯縄部分を引掛ける部材である。
【考案の効果】
【０００９】
第１考案によれば、楕円状の外側芯縄部分に囲まれた内部に４本の内側芯縄部分が入っているので、草履の強度が高くなる。また、４本の内側芯縄同士の間の隙間が小さくなるので、布紐で編上げた跡の凹凸も小さくなり、足の裏に柔らかい感触を与え、履き心地を良くすることができる。
第２考案によれば、外側芯縄部分として２本の芯縄が用いられる構造になるので、草履の強度が高くなり、歩いていてもかかとが垂れ下がらず、歩きやすくなる。よって、高齢者や筋力の弱った人でも歩行が可能となる。
第３考案によれば、芯縄を引掛けて、布草履の外形を形作る楕円形の外側芯縄部分と、４本の内側芯縄部分を作れるので、容易に請求項１の布草履を製作できる。
【考案を実施するための最良の形態】
【００１０】
つぎに、本考案の実施形態を図面に基づき説明する。
まず、本考案の布草履の製作具Ｂを、図４に基づき説明する。
この製作具Ｂは、保持板２０と３本の引掛具２５〜２７からなる。保持板２０は側面視でＬ字形の板材であって、立板２１と横板２２とからなる。引掛具２５〜２７は、３本が立板２１に間隔を離して、立てて取付けられている。
３本の引掛具２５〜２７は、布草履の芯縄を引掛けるためのものである。この製作具Ｂがあると、人が座って足を投げ出した姿勢を取る必要がなく、布草履を編むことができる。なお、製作具Ｂは適宜の固定金具でテーブルや机に固定して使用するとよい。
【００１１】
つぎに、本考案の布草履の編み方を説明する。
図２は本考案の布草履を作る芯縄の説明図である。
まず、２本の長い芯縄Ｗ１，Ｗ２を用意する。この芯縄Ｗ１，Ｗ２には、公知の荷造り用や園芸用に用いられているポリプロピレン製の紐が好適である。また、芯縄Ｗ１は170〜210cm、とくに190cmとし、芯縄Ｗ２は150〜190cm、とくに170cmとするのが大人用布草履に好適である。子供用などの小寸法の布草履は、より短い芯縄を用いるとよい。
【００１２】
上記の２本の芯縄Ｗ１，Ｗ２は、製作具Ｂを用いて、６本の芯線を形作るようかけ廻される。２本のうちの１本の芯縄Ｗ１は、一端を手元（図２中の下方）に置き、途中を中央の引掛具２５、左の引掛具２６にかけ廻し、中央部分を手元側に伸ばしてきて、向きを変えて立板２１側に伸ばしていき、更に右の引掛具２７と中央の引掛具２５にかけ廻して、再度他端を手元に伸ばしてくる。他の１本の芯縄Ｗ２も同様の順で同じ経路をかけ廻す。
この結果、外側芯縄部分は２本の芯縄Ｗ１，Ｗ２で構成され、内側芯縄部分は芯縄Ｗ１，Ｗ２が２回ずつ通るので４本分できることとなる。
【００１３】
図３は芯縄に布紐を編み付ける作業の説明図である。
布紐ｓを編み付ける場合、外側の２本の芯縄Ｗ１，Ｗ２は１本にまとめて取り扱い、内側の４本の芯縄Ｗ１，Ｗ２，Ｗ２，Ｗ１は等間隔に離して保持する。そして、布紐ｓは、つま先側から編み付けていくが、最初は適宜に芯縄Ｗ１，Ｗ２にくくり付けておき、つぎに一方の外側芯縄Ｗｏ→内側芯縄Ｗｉ→内側芯縄Ｗｉ→内側芯縄Ｗｉ→内側芯縄Ｗｉ→外側芯縄Ｗｏの順に布紐ｓを浮沈状に編んでいく。そして、これを繰返し、草履のつま先部分からかかとまで編み上げていく。
【００１４】
編み上った後、芯縄の端はくくって、ほどけないようにし、編み上がった布の内部へ押し込んだり、ハサミで切って見映えよく処置する。鼻緒は両端と中央部の３ヵ所を従来の布草履と同じ要領で取付けるとよい。
以上の作業で本考案の布草履が完成する。
【００１５】
図１は本考案の一実施形態に係る布草履Ａの平面図である。
本実施形態の布草履Ａは、楕円状の外側芯縄部分にＷｏ囲まれた内部に４本の内側芯縄部分Ｗｉが入っているので、草履の強度が高くなる。また、内側芯縄Ｗｉ同士の間の隙間が小さくなるので、草履の表面上の凹凸も小さくなり、足の裏に柔らかい感触を与え、履き心地を良くすることができる。
また、外側芯縄部分Ｗｏには２本の芯縄Ｗ１，Ｗ２が用いられるので、草履の強度が高くなり、歩いていてもかかとが垂れ下がらず、歩きやすくなる。よって、高齢者や筋力の弱った人でも歩行が可能となる。
【図面の簡単な説明】
【００１６】
【図１】本考案の一実施形態に係る布草履Ａの平面図である。
【図２】本考案の布草履を作る芯縄の説明図である。
【図３】芯縄に布紐を編み付ける作業の説明図である。
【図４】本考案の布草履の製作具の斜視図である。
【図５】従来の草履の編み方の説明図である。
【図６】従来の布草履の編み方の詳細説明図である。
【図７】従来の布草履の平面図である。
【符号の説明】
【００１７】
Ａ          布草履
Ｗ１        芯縄
Ｗ２        芯縄
Ｗｏ        外側芯縄
Ｗｉ        内側芯縄
２０        保持板
２５〜１７  引掛具
【図１】
0003140086.tif 000003
【図２】
0003140086.tif 000004
【図３】
0003140086.tif 000005
【図４】
0003140086.tif 000006
【図５】
0003140086.tif 000007
【図６】
0003140086.tif 000008
【図７】
0003140086.tif 000009